(57)【要約】【課題】  電気器具の設置位置の傍近くにまとまりなく置かれた電気コードの余剰部分は埃を被り易い上に、掃除の際の邪魔になった。コードの配線が室内の美観を損なうことなく、掃除などの邪魔にならない余剰コードの処理の方法が望まれる。【解決手段】近似長方形などのコンパクトな形を成し、その周壁部にコードの巻き込み側コード口と巻き出し側コード口を備え、内部に電気コードの間の部分を巻きの大きさや位置を限定しない任意の形に巻いて収納し、そのコードの両端を巻き込み側コード口と巻き出し側コード口から引き出して接続するようにしたコードケースを提供する。これにより、長さを調節出来る延長コードとすることが出来た。また、電気器具の裏側に乱れた配線の見えない真直ぐのすっきりした配線が達成された。【選択図】  図１
2019062032.tif 000002
【特許請求の範囲】
【請求項１】
その内壁がコードの太さを超える前後方向の幅を有し、前記内壁が近似長方形から円形を含む近似正多角形の正面形状の形に形成された周壁部を成し内部に収納される前記コードの巻きコード部の外側案内手段を形成しており、前記周壁部の前側を前壁部に被われ、前記周壁部の後側を後壁部に被われ、前記周壁部の一部位に前記コードの出し入れ自由な巻き込み側コード口を備え、前記周壁部の他の部位に前記コードの出し入れ自由な巻き出し側コード口を備える開閉可能に分割されたコードケースであって、前記ケースの内部に前記コードの間の部分を巻きの大きさや位置を限定しない巻きコードにして収納することを特徴とするコードケース。
【請求項２】
その内壁がコードの太さを超える前後方向の幅を有し、前記内壁が近似長方形から円形を含む近似正多角形の正面形状の形に形成された周壁部を成し内部に収納される前記コードの巻きコード部の外側案内手段を形成しており、前記周壁部の前側を前壁部に被われ、前記周壁部の後側を後壁部に被われ、前記周壁部の一部位に前記コードの出し入れ自由な巻き込み側コード口を備え、前記周壁部の他の部位に前記コードの出し入れ自由な巻き出し側コード口を備える開閉可能に分割されたコードケースであって、前記周壁部の内側に前記巻きコード部の巻き方向に沿って前記コードの太さに適合する幅のコード仕切りを備えることを特徴とするコードケース。
【請求項３】
前記巻き込み側コード口と前記巻き出し側コード口との間で、前記コードを前記コード仕切りに沿って螺旋状に巻いた巻きコード部を形成して収納したことを特徴とする請求項２記載のコードケース。
【請求項４】
その内壁がコードの太さを超える前後方向の幅を有し、前記内壁が近似長方形から円形を含む近似正多角形の正面形状の形に形成された周壁部を成し内部に収納される前記コードの巻きコード部の外側案内手段を形成しており、前記周壁部の前側を前壁部に被われ、前記周壁部の後側を後壁部に被われ、前記周壁部の一部位に前記コードの出し入れ自由な巻き込み側コード口を備え、前記周壁部の他の部位に前記コードの出し入れ自由な巻き出し側コード口を備える開閉可能に分割されたコードケースであって、
前記コードケースは、近似長方形であり、前記前壁部と前記後壁部には左右方向に設けたスライド溝を有し、該スライド溝の内側で該スライド溝にスライド可能に嵌るスライド部と、その先端側のコード案内面と、前記スライド部の前後の端に露出する操作端とを備え、前記巻きコード部の巻き輪の内側で前記スライド溝上を滑動可能に保持される一組の案内体から成るコード案内手段を備えることを特徴とするコードケース。
【請求項５】
前記周壁部の側壁が弾性を備えるケースであって、前記巻き込み側コード口と前記巻き出し側コード口の少なくとも一方側にコードの太さより幅の狭い内幅のコード保持部を備えており、前記側壁の前記コード保持部より少し離れた位置に該コード保持部に略平行に形成されたコード弾性保持溝を備えることを特徴とする請求項１記載のコードケース。
【請求項６】
前記周壁部のコード口の部分にその内径がコードの外径に緩く適合した大きさを有し、その外周面側に先方側が前記コード口の孔部の大きさより小さく手前側上りに前記コード口の孔部より大きくなるように傾斜した傾斜面を有し、その手前端に操作鍔部を有すると共にその周壁部の一箇所に軸方向の切り割りを備え、前記周壁部の少なくとも他の１箇所に軸方向に薄い壁に形成された連結部を有する止めブッシュを備えることを特徴とする請求項１記載のコードケース。
【発明の詳細な説明】
【技術分野】
【０００１】
本発明は、電気器具（以後は単に器具と呼ぶ）等で使用する電気コード（以後は単にコードと呼ぶ）などを収納するコードケースに関するものである。
特に、コード端部のプラグやソケット等の接続器具を含まない1本のコードの間の部分を収納するケースである。このケースは器具の配線の際に生ずる余剰部分を収納して配線の美観を高めることが出来る。
【背景技術】
【０００２】
市場には、例えば、長さ０．５ｍあるいは長さ３ｍなどの電気用の延長コードが多く見られる。器具の位置から離れた位置にソケットなどの接続口がある場合などに用いるものとしては、電源取出し用のリールスタンドなどがある。
固定して使用する器具などに付属するコードは、一般に、器具の設置や取り扱いの上で不便を来たさない程度の余裕のある長さが与えられている。
そこで、器具の設置位置の傍近くに電源用ソケット等の接続口がある時は、コードの長さの余剰部分はそのまま巻いたり折り曲げたりして器具の近くに置くなどの処理ですまされてきた。    延長コードを使用する際も、長さの余剰部分は同様にして処理されている。
市販されているコード等には、コードを束ねたりしないよう注意書きされており、密に重ねて巻くことは熱の発生、熱の放散上好ましくないことは、一般の良く知るところである。
容器内に連結コンセントを置き、複数のコードを容器外に取り出すようにした電気コード収納容器などが市販されている。
【先行技術文献】
【特許文献】
【０００３】
【特許文献１】特開平９−２９３９７８広報
【特許文献２】特開２００２−６３９６９広報
【特許文献２】特開２００２−２４１０５８号広報
【特許文献４】特開２００８−２７０５１３号広報
【発明の概要】
【発明が解決しようとする課題】
【０００４】
前述のような従来の余剰コードの処理の仕方では、コードが室内など周囲の美観を損ね、好ましくない使用状態に置かれるなどしてきた。また、纏まりなく置かれたコードは埃を被り易い上に、掃除や色々な作業の際の邪魔になった。
ここに、電気器具などのコードの配線が室内の美観を損なうことなく、また、掃除や日常の作業などの邪魔にならない余剰コードの処理手段が望まれる。
【０００５】
本発明の目的は、コードの配線の際に生ずる余分な長さの部分を小さく形よく収納し、配線の乱れの見えないすっきりした配線の出来るコードケースを提供することである。
本発明の他の目的は、配線のコードをコード口より引き出したり、戻したりたりすることが出来、コードを弛みのない真直ぐな状態で使用できるコードケースを提供することである。
本発明のさらに他の目的は、ケース内でコードを巻きの大きさや位置を限定しない任意の形に巻いて収納するコードケースを提供することである。
本発明のさらに他の目的は、ケース内にコードの大きさに適合する案内手段を設け、巻きの乱れのない円滑なコードの出し入れの行われるコードケースを提供することである。
本発明のさらに他の目的は、コードを案内手段に沿わせて螺旋状に巻いて収納出来るコンパクトなコードケースを提供することである。
本発明のさらに他の目的は、コードケース内の巻きの原形が維持され、コードのねじれや乱れが生じないコードケースを提供することである。
本発明のさらに他の目的は、ケースをコードの配線ラインに沿って置け、配線の流れを乱さない形状のコードケースを提供することである。
本発明のさらに他の目的は、二つのコードの端をコードケースの任意の角度間隔の位置から引き出せるコードケースを提供することである。
本発明のさらに他の目的は、ケースを開いて巻きコードの巻き数を加減出来るコードケースを提供することである。
本発明のさらに他の目的は、ケース内部でのコードの移動抵抗が小さく、コードの出し入れが軽快に出来るコードケースを提供することである。
本発明のさらに他の目的は、ケース内へのコードの引き込みが軽快に出来る扱い易いコードケースを提供することである。
本発明のさらに他の目的は、ケースのコード口の部分に簡単な操作で確りコードの移動止めが行われるコードケースを提供することである。
【課題を解決するための手段】
【０００６】
上記の目的を達成する為に、本発明は、その内壁がコードの太さを超える前後方向の幅を有し、該内壁が近似長方形から円形を含む近似正多角形の正面形状の形に形成された周壁部を成し内部に収納される前記コードの巻きコード部の外側案内手段を形成しており、前記周壁部の前側を前壁部に被われ、前記周壁部の後側を後壁部に被われ、前記周壁部の一部位に前記コードの出し入れ自由な巻き込み側コード口を備え、前記周壁部の他の部位に前記コードの出し入れ自由な巻き出し側コード口を備える開閉可能に分割されたコードケースであって、前記ケースの内部に前記コードの間の部分を巻きの大きさや位置を限定しない巻きコードにして収納することを特徴とするコードケースを提供する。
【０００７】
ここで、巻きコードとは、コードを少なくとも半巻き（１/２回巻き）以上に巻いたものである。半巻きとはコードを輪の形を形成して折り曲げ状にしたものを含んでいる。
また、ケース内でのコードの巻き方は、必ずしも規則正しく巻かれたもののみに限定されない。巻きの位置や大きさなどに幾分の乱れがあっても巻きコード部の収納の目的は達成される。
【０００８】
また、ケースの周壁部の内側に巻きコード部のコードの巻き方向に沿ってコードの太さに適合する幅のコード仕切りから成る外側案内手段を備えるコードケースを提供する。
【０００９】
また、ケース内の巻き込み側コード口と巻き出し側コード口との間で、コードをコード仕切りに沿って螺旋状に巻いた巻きコード部を形成して収納するコードケースを提供する。
【００１０】
また、近似長方形のケースの左右の短辺側の側壁に設けた巻き込み側コード口と、短辺側の側壁の他の部位に設けた巻き出し側コード口を備えるコードケースを提供する。
ここに、近似長方形とは、正面の形が長孔や左右に扁平な楕円形を含む長方形の形ことを言う。
【００１１】
また、近似長方形のケースの前壁部と後壁部に左右方向に設けたスライド溝と、該スライド溝の内側で該スライド溝にスライド可能に嵌るスライド部と、その先端側のコード案内面と、スライド部の前後の端に露出する操作端を備え、巻き輪の内側でスライド溝上を滑動可能に保持される左右一組の案内体から成るコード案内手段を備えるコードケースを提供する。
【００１２】
また、近似正多角形のケースの周壁部の一部位に巻き込み側コード口を、前記巻き込み側コード口より任意の角度離隔した他の部位に巻き出し側コード口を備えるコードケースを提供する。
ここに、近似正多角形とは、正面の形が円形や正方形を含む正多角形のことを言う。
【００１３】
また、コード案内手段の案内体がその先端側に回転自由に保持されたローラから成るコード案内面を備えるコードケースを提供する。
【００１４】
また、周壁部の側壁が弾性を備えるケースであって、前記巻き込み側コード口と前記巻き出し側コード口の少なくとも一方側にコードの太さより幅の狭い内幅のコード保持部を備えており、前記側壁の前記コード保持部より少し離れた位置に該コード保持部に略平行に形成されたコード弾性保持溝を備えるコードケースを提供する。
弾性を備えるケースとは、柔軟性を備え割れ難いプラスチック材などの材質から成るケースである。
コード保持部は側壁より突出させてより長い保持幅とすることが一層望ましい。
【００１５】
また、周壁部のコード口の部分にその内径がコードの外径に緩く適合した大きさを有し、その外周面側に先方側がコード口の孔部の大きさより小さく手前側上りに前記コード口の孔部より大きく傾斜した傾斜面を有し、その手前端に操作鍔部を有すると共にその周壁部の一箇所に軸方向の切り割りを備え、前記周壁部の少なくとも他の１箇所に軸方向に薄い壁に形成された連結部を有する止めブッシュを備えるコードケースを提供する。
【００１６】
また、コード口の部分にその一方側がコードの太さより幅の狭い略楔形の長孔に形成したコード止め手段を備えるコードケースを提供する。
【００１７】
本発明のコードケースは、半透明あるいは透明のプラスチック樹脂製として内部が見えるようにしておくことも出来る。又、柔軟なビニール製とすることも出来る。ケースの一部に壁などに固定するための孔や引掛け用のフック部を設けておくことも推奨される。
【発明の効果】
【００１８】
本発明は、以上説明したように構成されるので、以下に記載されるような効果を奏する。
【００１９】
コードをケース内で巻きコード部を形成して収納し、ケースの周りの壁部の二つのコード口から必要な長さのコードを引き出せる開閉可能のコードケースとしたので、コードの配線の際などに生ずる余剰コード部分が小さく形よく収納され、家具の隅などに乱れた配線の見えない、掃除等の邪魔にならないすっきりした配線が出来る。
【００２０】
また、ケースを開いて巻きコード部の巻きの数を加減して長さを調節したり、巻きコードの乱れを直したりすることが出来る扱いやすいコードケースが得られる。
【００２１】
また、コードケースの周壁部の内側にコードの巻き方向に沿ってコードの太さに適合する幅のコード仕切りから成る外側案内手段を設けることで、巻きコード部の巻きの乱れが防止され、コード口からのより円滑なコードの出し入れが行われる。
【００２２】
また、コードをコード仕切りに沿って螺旋状に巻いた巻きコード部とすることで、コードが小さくまとまり良く収納される。且つ、コードが規則正しく巻かれるので、より円滑なコードの出し入れ操作の出来るコンパクトなコードケースが得られる。
【００２３】
また、近似長方形のケースの二つの短辺側の一方の側に巻き込み側コード口を、短辺側の他方の側に巻き出し側コード口を備えるコードケースとすることで、細長いケースをコードの配線のラインに沿って置ける、あるいは、配線ラインの角部に置いてコードを直角に流すなどの一層自由な配線が可能な扱いやすいコードケースが得られる。
【００２４】
また、近似長方形のケースの前壁部と後壁部に左右方向のスライド溝を設け、該スライド溝上に巻きコード部の巻き輪の内側で滑動可能に保持される左右一組の案内体から成るコード案内手段を設けることで、案内体のスライド操作によるコードのケース内への円滑な引き込みが出来るコードケースが得られる。
【００２５】
また、近似正多角形のケースの周壁部に二つのコード口を任意の角度を保った位置に配置出来るようにしたことで、コードの配線の自由度が高まりコードケースをコードの配線の為の器具の一つとして利用することが可能となる。
【００２６】
また、コード案内手段の案内体がその先端側に回転自由に保持されたローラから成るコード案内面を備えるようにすることで、コードの移動抵抗が軽減されより軽快なコードの出し入れ操作の出来るコードケースが得られる。
【００２７】
また、側壁が弾性を備えるコードケースにおいて、コード口の下方側にコードの太さより幅の狭いコード保持部を形成し、このコード保持部より少し離れた位置に該コード保持部に略平行に形成されたコード弾性保持溝を設けることによってコード保持部に弾力を付与し、コードをより柔軟に保持するようにしたコード止め手段を備えるコードケースが得られる。
【００２８】
また、コード口の部分にその先方側の外周面がコード口の孔部の大きさより手前側上りに傾斜した傾斜面を成し、その手前端の操作鍔部を押し込んでコードの移動を止める止めブッシュを備えたコードケースが得られる。
【００２９】
また、ケースのコード口の部分にその一方側がコードの太さより幅の狭い略楔形の長孔に形成したコード保持部を設けることで、コード口にあるコードを楔孔に向かって上げ下げするだけでコードの移動止めと外しの行えるコードケースが得られる。
【図面の簡単な説明】
【００３０】
【図１】本発明の実施形態を示す図で、一部を破断して示す正面図
【図２】図１における２−２矢視断面図
【図３】同ケースの左側面図
【図４】同ケースの右側面図
【図５】本発明の他の実施例を示す図で、一部を破断して示す正面図
【図６】図５における６−６矢視断面図
【図７】本発明の他の実施例を示す図で、一部を破断して示す正面図
【図８】図７における８−８矢視断面図
【図９】本発明の他の実施例を示す図で、コードケースの左側面図
【図１０】図９における１０−１０矢視断面図
【図１１】本発明の他の実施例を示す図で、コード止め手段の部分を示す部分正面断面図
【図１２】図１１における左側面図で巻き込み側コード口の部分を拡大して示す図
【図１３】本発明の他の実施例を示す図で、後部カバーを開いて示す正面図
【図１４】図１３における１４−１４矢視断面図で後部カバーを閉じて示す図
【図１５】図１３における１５−１５矢視図で後部カバーを閉じて示す拡大図
【発明を実施するための形態】
【００３１】
以下、本発明の実施の形態を実施例に基づいて説明する。
図１〜図４は、コードケースの一実施例を示す。柔軟性を持つプラスチック製のコードケース１は上壁２、下壁３、左側の側壁４、右側の側壁５からなる周壁部６と前壁部７及び後壁部８を有する左右に長い近似長方形の正面形状を有している。このケースは分割線9の位置でケースの上側10とケースの下側１1の上下に二分割されており、ケースの下側１1の上縁の左右の肩部１2をケースの上側10の掛け爪部１3で引掛けて保持して一体化している。ケースを開く時にはケースの上側の指掛け部１４を外に開いて掛け爪部１３の掛かりを外す。ケースの内部には螺旋状に巻かれた余剰コード１５が収納されている。収納された余剰コードの巻きコード部１６は自ずとコードケース１の周壁部６の内壁の形に倣う。
【００３２】
左右の側壁には各々２本の縦の長孔状のコード口が形成されている。
この例において、コードの巻き込み端１７は周壁部６の左側の側壁４の一部位に設けた巻き込み側コード口１８よりコードケース１内に入り、ケース内で巻きコード部１６を形成し、その巻き出し端１９は周壁部６の右側の側壁５の一部位に設けた巻き出し側コード口２０より外部へ出る。しかし、コードの巻き出し端は左側の側壁４の他の部位に設けた第二の巻き出し側コード口２１より巻き出し端１９′のように外部へ出すことも出来る。
巻き込み及び巻き出しの各コード口１８、２０は縦の長孔状を有し、その幅は下側に向かってコードの直径より狭く造られ略楔形をしており、コードを下へ押し下げることで、その動きが抑えられるコード保持部を成している。コードの巻き込み端１７と巻き出し端１９は各々一定の長さ出したり入れたりすることが出来る。また、ケースを開いて余剰コードの長さに応じてコードの巻きの数を調整することが出来る。
【００３３】
図５〜図６は、コードケースの他の実施例を示す。以下の実施例の説明において前に示した実施例と同一の部分や同一の機能を有する部分については、同一の符号にa 、b 、c の添え文字を附して示すに止め、なるべくその説明を省略し、主に異なる部分について説明する。
【００３４】
ここで、コードケース１aはその周壁部６aの下壁３a及び上壁２aの内壁側にコード口１８aより巻きコード部１６aのコードの巻き方向に沿ってコードの太さに適合する幅のコード仕切り２４から成る外側案内手段を備える。
これにより、コードをコード仕切り２４内に嵌るように周壁部の内側に螺旋状に巻いて収納することが出来る。
このコード仕切り２４は、この例に止まらず、下壁３aより右側の側壁５a、上壁２aそして左側の側壁４aへと螺旋状に滑らかに続くように周壁部６aの内壁側に形成することも出来る。
これにより、コードをコード仕切り内に嵌るように周壁部の内側に螺旋状に巻いて収納することが出来る。
【００３５】
図７〜図８は、コードケースの他の実施例を示す。
ここで、左右に長孔状の正面形状を有するコードケース１ｂの前壁部７ｂと後壁部８ｂには、ケースの上側１０ｂとケースの下側１１ｂの分割線９ｂの位置の中央部分に中央より右方向と左方向にスライド溝２６が設けてある。ケース内の前後のスライド溝の間の中央部に左右一組の案内体２７が背中合わせに設けてある。この案内体２７は各々その先端側に形成された保持溝に回転自由に保持された2個の主ローラ２８と1個の補助ローラ２９から成るコード案内面を備えている。両案内体２７はその前後の部分にスライド溝２６に滑合に嵌るスライド部３０を備えており、図示のケースの中央位置から互いに右と左に離隔する方向にスライド可能に保持されている。
前後のスライド部３０の両端部には外部に露出する操作端３１が形成されており、この前後の操作端３１を摘まんで右の案内体２７を矢印３２のように右方にスライドさせることが出来る。
【００３６】
コード案内面は巻きコード部１６ｂの内側を前後方向に横切り、コード内側案内手段を形成している。コードの巻き込み端１７ｂが引き出されると、巻きコード部１６ｂの輪の内側は案内体２７のコード案内面まで移動して巻付く状態になるが、各輪が消滅することはなく、余剰コード１５ｂのネジレが防止され、コード内側案内手段としてのその重要な機能を果たす。
図７では余剰コード１５ｂが引き出されて巻きコード部１６ｂの右側の巻き輪３３の一部が巻き輪３３′のように右側の案内体２７の案内面に巻き掛っている。右側の案内体２７を矢印３２のようにスライドさせ案内体２７′の位置に移動させることで、巻き輪３３′を元に戻しコードの巻き込み端１７ｂを引き込むことが出来る。
【００３７】
図９〜図１０は、コード止め手段の他の実施例を示す。
柔軟性を持つプラスチック製のコードケース１ｃの左側の側壁４ｃの巻き込み側コード口１８ｃの下方側にコードの太さより幅が狭くなったコード保持部３４が形成されており、この部分には側壁４ｃより外方へ突出するコード押え部３５が設けてある。このコード押え部３５の中央部にはコードの巻き込み端１７ｃが留る浅い保持溝３６が設けてある。このコード押え部３５はコードの巻き込み端１７ｃ部分をより長い幅でより柔軟に保持する。そして、側壁４ｃのコード保持部３４より少し離れた位置に該コード保持部３４に略平行に形成されたコード弾性保持溝３７が設けてある。このコード弾性保持溝３７によってコード保持部３４に矢印方向の弾力が付与され、コードをより柔軟に保持することが出来る。
【００３８】
図１１〜１２は、コード止め手段の他の実施例を示す。
巻き込み側コード口のボス部４０にコードの巻き込み端１７ｄの外周に緩く嵌る内径を有し、その先方側に外周面がボス部の孔の大きさより手前側上りに大きい形に傾斜した傾斜外周面４１を有する止めブッシュ４４が設けられている。この止めブッシュ４４はその外周の片側に軸方向の切り割４２を有しており、該切り割４２の反対側は該止めブッシュが半径方向に柔軟に撓むように内側に形成された軸方向に楕円状の抜き孔４６を有しており、軸方向に薄い壁の連結部４７になっている。手前側の端に形成された操作鍔部４３は該止めブッシュを出し入れ操作するつまみ部である。
コードの移動を止める時は、操作鍔部４３をボス部４０の孔に側へ向かって押し込む。これにより止めブッシュ４４の内径面が縮小し、コード１７ｄを締付けて移動しないように働く。コードを移動させる時は、操作鍔部４３をつまんで止め鍔４５が当るまでいっぱいに引き出してコードの締付を開放する。
軸方向に薄壁の連結部４７は、必要に応じてブッシュの周囲に複数箇所設けることも出来る。このコード保持手段は、巻き出し側コード口のボス部においても同様に実施することが出来る。
【００３９】
図１３〜図１５は、コードケースの他の実施例を示す。
このコードケース１eは、近似長方形の正面の形を有する薄い形のものである。
周壁部６eの上側に設けたヒンジ部４８を支点に前壁部７e側と後壁部8e側に開閉可能に分割されている。図１３は後壁部8eを開いた状態を示している。
巻きコード部分１６eの外側を囲う周壁部６eと、巻きコード部の前側を被う前壁部７eと、巻きコード部の後側を被う後壁部8eと、周壁部６eの左側の側壁４eに開く巻き込み側コード口１８eと、右側の側壁５eに開く巻き出し側コード口２０eを備えている。
巻き込み側コード口１８e より入る余剰コード１５eは前壁部７eの内側に型にはまらない自由な形で収まっているが、２箇所の輪を描いた曲折部（１/２巻き部）の巻きコード部分１６eを形成して巻き出し側コード口２０eより外部に出ている。ケースの収容容積に比べ収納されている余剰コード１５eの量は少ないが、充分に余剰コードの処理の目的を達成している例である。
【００４０】
図１５は巻き込み側コード口１８eの部分を示している。
左側の側壁４eに設けられる巻き込み側コード口１８eは後壁部8e側から前壁部７e側に亘って形成されている。後壁部8e側の口幅と深さはコードの巻き込み端１７eの太さに対して余裕のある寸法に形成されている。一方、前壁部７e側はコードの太さより幅の狭い寸法のコード保持部３４eになっている。
そこで、コードを出し入れする時は後壁部8e側のコード口１８e内で行い、位置が決まった時はコードを下のコード保持部３４eに押し込むようにして固定するコード止め手段を示している。
【符号の説明】
【００４１】
１、１a、１ｂ、１c、１d、１e -----コードケース
２、２a、２ｂ、２c、２d、２e -----上壁２
３、３a、３ｂ、３c、３d、３e -----下壁３
４、４a、４ｂ、４ｃ、４d、４e -----左側の側壁
５、５a、５ｂ、５e-------------右側の側壁
６、６a、６ｂ、６d、６e ---------周壁部６
７、７a、７ｂ、７c、７e ---------前壁部
８、８a、８ｂ、８e-------------後壁部
９、９a、９ｂ、９c、９d、９e ------分割線
１０、１０a、１０ｂ--------------ケースの上側10
１１、１１a、１１ｂ--------------ケースの下側１1
１２、１２a、１２ｂ、１２c---------肩部
１３、１３a、１３ｂ、１３c---------掛け爪部
１４、１４a、１４ｂ、１４c---------指掛け部
１５、１５a、１５ｂ、１５e---------余剰コード
１６、１６a、１６ｂ、１６d、１６e ----巻きコード部
１７、１７a、１７ｂ、１７ｃ、１７d、１７e ----コードの巻き込み端
１８、１８a、１８ｂ、１８ｃ、１８e----コードの巻き込み口
１９、１９a、１９ｂ、１９e---------コードの巻き出し端
２０、２０ｂ、２０e--------------巻き出し側コード口
２１-------------------第二の巻き出し側コード口
２４-------------------コード仕切り
２６-------------------スライド溝
２７、２７′-------------案内体
２８-------------------主ローラ
２９-------------------補助ローラ
３０-------------------スライド部
３１-------------------操作端
３３、３３′-------------巻き輪
３４、３４e -------------------コード保持部
３５-------------------コード押え部
３６-------------------保持部
３７-------------------コード弾性保持溝
４０-------------------ボス部
４１-------------------傾斜面
４２-------------------切り割
４３-------------------操作鍔部
４４-------------------止めブッシュ
４５-------------------止め鍔
４６――――――-―――抜き孔
４７――――――――-―連結部
４８-------------------ヒンジ部
【図１】
2019062032.tif 000003
【図２】
2019062032.tif 000004
【図３】
2019062032.tif 000005
【図４】
2019062032.tif 000006
【図５】
2019062032.tif 000007
【図６】
2019062032.tif 000008
【図７】
2019062032.tif 000009
【図８】
2019062032.tif 000010
【図９】
2019062032.tif 000011
【図１０】
2019062032.tif 000012
【図１１】
2019062032.tif 000013
【図１２】
2019062032.tif 000014
【図１３】
2019062032.tif 000015
【図１４】
2019062032.tif 000016
【図１５】
2019062032.tif 000017